(57)【要約】【課題】優れた操作性を有する上、防犯性能の格段の向上と大幅なコストダウンとを図ることのできる扉錠を提供すること。【解決手段】複数の錠２，３を設け、各錠２，３のデッドボルト８，９作動用のハブ４，５と、各ハブ４，５に対応する複数のシリンダ錠１０，１１と、前記ハブ４，５のいずれか一つを回動させるサムターン１３とを備え、シリンダ錠１０，１１によりハブ４，５を回動させると当該ハブ４，５に対応する一のデッドボルト８，９のみが出没作動して施解錠し、サムターン１３により前記一つのハブ４，５を回動させると他の各ハブ５，４も連動し全てのデッドボルト８，９が出没作動して施解錠する扉錠１であって、前記サムターン１３の操作により回動するハブ４，５に他のハブ５，４を連動させる連動機構を、各錠２，３に対応する各錠ケース間に架設した。【選択図】図２
2008255622.tif 000002
【特許請求の範囲】
【請求項１】
複数の錠を設け、各錠のデッドボルト作動用のハブと、室外側にあって各ハブに対応する複数のシリンダ錠と、室内側にあって前記ハブのいずれか一つを回動させるためのサムターンとを備え、シリンダ錠によりハブを回動させると当該ハブに対応する一のデッドボルトのみが出没作動して施解錠し、サムターンにより前記一つのハブを回動させると他の各ハブも連動し全てのデッドボルトが出没作動して施解錠する扉錠であって、前記サムターンの操作により回動するハブに他のハブを連動させる連動機構を、各錠に対応する各錠ケース間に架設したことを特徴とする扉錠。
【請求項２】
前記連動機構が、各ハブを室内側から操作する各サムピースと共に回動する複数のギアと、各ギアに噛み合うラックをそれぞれ有し、かつ、各ギアを挟んで互いにほぼ平行に延びる二つの摺動部材とを備え、前記サムピースのいずれか一つを前記サムターンにより回動操作するように構成した請求項１に記載の扉錠。
【請求項３】
前記摺動部材を可撓性部材にて構成した請求項１または２に記載の扉錠。
【発明の詳細な説明】
【技術分野】
【０００１】
本発明は、同一の扉に複数の錠を備え、室外からはシリンダ錠によってそれぞれ対応する錠のデッドボルトを個別に出没作動して施解錠することができ、室内からは一つのサムターンによって全ての錠のデッドボルトを共通して施解錠することができるようにした多重ロック方式の扉錠に関する。
【背景技術】
【０００２】
デッドボルトを室内側から出没作動して施解錠するサムターンと室外側から出没作動して施解錠するシリンダ錠とを一つずつ設けた扉錠ではピッキング被害に遭い易いことから、二重ロック構造を採用して防犯性能を高めた扉錠が従来より用いられている。しかし、二重ロック構造をなす錠として独立した二個の錠を取り付けたのでは、室内外のいずれから出没作動して施解錠を行う場合にも操作が二回必要で手間取るために、結果として一方の錠を遊ばせてしまいかねず、これでは防犯機能が十分に発揮されないという問題があった。
【０００３】
そこで、本願出願人は、この出願に先立ち、上記問題の解決を図れる扉錠に係る発明を既に特許出願している（特許文献１、２参照）。ここで、特許文献１、２に係る扉錠はいずれも、同一の扉に二個のデッドボルトを備え、室外からはシリンダ錠によってそれぞれ対応するデッドボルトを個別に施解錠することができ、室内からは一つのサムターンによって二個のデッドボルトを共通して施解錠することができるようにした二重ロックの扉錠である。
【０００４】
かかる扉錠では、室内側からはサムターンの操作を一回行えば二個のデッドボルトの施解錠を同時に行わせることができ、このようにサムターンを操作して二個のデッドボルトを施錠すれば、室外側からはシリンダ錠により二個のデッドボルトを個別に解錠しなければ開扉不能となる。すなわち、上記扉錠は、高い防犯性と優れた操作性の両方を兼備したものである。
【０００５】
【特許文献１】特開昭５７−８９０７８号公報
【特許文献２】特開昭５７−１８０７７５号公報
【発明の開示】
【発明が解決しようとする課題】
【０００６】
しかし、上記扉錠にも未だ改良の余地が残されている。すなわち、特許文献１、２に係る扉錠はいずれも、デッドボルトやシリンダ錠を同一の錠ケースに二個ずつ収容する特殊な構成を有しているので、既存の錠を利用することができず、必然的にその製造コストが高くなるという問題がある。
【０００７】
また、上記いずれの扉錠も、同一の錠ケースに対してデッドボルトやシリンダ錠を二個ずつ設けたものであり、その構成上、二個のシリンダ錠を大きく（例えば６０ｃｍ程度に）離間させることは大変困難であった。故に、人の腰あたりの高さ位置（施解錠操作に適した位置）に一方のシリンダ錠を設置し、ピッキングのし難い低い位置（又は高い位置）に他方のシリンダ錠を設置するというような防犯性に優れた扉錠の構成の実現も殆ど不可能であった。
【０００８】
本発明は上述の実情に鑑みてなされたもので、その目的は、優れた操作性を有する上、防犯性能の格段の向上と大幅なコストダウンとを図ることのできる扉錠を提供することにある。
【課題を解決するための手段】
【０００９】
上記目的を達成するために、本発明に係る扉錠は、複数の錠を設け、各錠のデッドボルト作動用のハブと、室外側にあって各ハブに対応する複数のシリンダ錠と、室内側にあって前記ハブのいずれか一つを回動させるためのサムターンとを備え、シリンダ錠によりハブを回動させると当該ハブに対応する一のデッドボルトのみが出没作動して施解錠し、サムターンにより前記一つのハブを回動させると他の各ハブも連動し全てのデッドボルトが出没作動して施解錠する扉錠であって、前記サムターンの操作により回動するハブに他のハブを連動させる連動機構を、各錠に対応する各錠ケース間に架設したことを特徴としている（請求項１）。
【００１０】
上記扉錠において、前記連動機構が、各ハブを室内側から操作する各サムピースと共に回動する複数のギアと、各ギアに噛み合うラックをそれぞれ有し、かつ、各ギアを挟んで互いにほぼ平行に延びる二つの摺動部材とを備え、前記サムピースのいずれか一つを前記サムターンにより回動操作するように構成してあってもよく（請求項２）、特に、前記摺動部材を可撓性部材にて構成してあることが望ましい（請求項３）。
【発明の効果】
【００１１】
請求項１に係る発明では、優れた操作性を有する上、防犯性能の格段の向上と大幅なコストダウンとを図ることのできる扉錠が得られる。
【００１２】
すなわち、請求項１に係る発明では、室内側からはサムターンの操作を一回行えば全てのデッドボルトの施解錠を同時に行わせることができ、このようにサムターンを操作して全てのデッドボルトを施錠すれば、室外側からはシリンダ錠により全てのデッドボルトを個別に解錠しなければ開扉不能となるので、優れた操作性と高い防犯性とを同時に実現することができる。
【００１３】
しかも、請求項１に係る発明では、前記連動機構を一つの錠ケース内に収容するのではなく複数の錠ケース間に架設することにより、複数の錠ケースを大きく離間させて設置することができるので、例えば、施解錠操作を行い易い人の腰あたりの高さ位置に一つのシリンダ錠とサムターンとを設け、ピッキングが困難となる足元付近の低い位置（又は高い位置）に他のシリンダ錠を設けることができるように各錠ケースを設置することにより、高い操作性を保ちつつ、防犯性能を格段に向上することができる。
【００１４】
その上、請求項１に係る発明では、特殊な錠ケース等を新たに製作するまでもなく、既存の扉錠を用いて構成することができるので、低コストで扉錠を提供することができる。更には、既設の扉錠にも連動機構を後付けすることによって、多重ロック方式の扉錠を提供することができる。
【００１５】
そして、請求項２に係る発明では、上記の効果を奏するのみならず、前記連動機構をシンプルな構成とすることのできる扉錠を提供することができる。
【００１６】
また、請求項３に係る発明では、上記の効果を奏するのみならず、前記摺動部材を可撓性部材にて構成してあるので、離れた位置にあるサムターンを連動させる為の取付作業がし易いという効果がある。更には、既設の扉錠への後付け作業に関してもより好適化を図れるという効果が得られる。
【発明を実施するための最良の形態】
【００１７】
以下、本発明の実施の形態を、図面を参照しながら説明する。ここで、図１は本発明の一実施の形態に係る扉錠１の錠２，３の解錠状態の構成をケース側板Ｓの一部を透視して概略的に示す側面図、図２（Ａ）は前記扉錠１の構成を概略的に示す縦断面図、図２（Ｂ）は図２（Ａ）のＸ−Ｘ線切断端面図、図３（Ａ）、（Ｂ）および（Ｃ）は、前記錠２の構成を概略的に示す正面図、平面図および側面図、図４（Ａ）および（Ｂ）は前記扉錠１のサムピース１２，１２の構成を概略的に示す正面図および側面図、図５は前記扉錠１のダミー座１４の構成を概略的に示す側面図である。
【００１８】
まず、図１および図２（Ａ）に示すように、本実施形態に係る扉錠１は、扉Ｄの戸先側に二つの錠２，３を備えている。ここで、一方の錠２は人の腰あたりの高さ位置にあり、他方の錠３は足元付近の低い位置にある。従って、両錠２，３は上下に約５０〜９０ｃｍ程度（本実施形態では約６０ｃｍ）離間している。
【００１９】
また、図１並びに図３（Ｂ）および（Ｃ）に示すように、錠２の左右両側にケース側板Ｓを設けてあり、同様に、錠３にもケース側板Ｓを設けてある。そして、図１に示すように、錠２，３のそれぞれ一方のケース側板Ｓにハブ４，５を回転可能に装着してあり、さらに、錠２，３には、ハブ４，５の回転により板ばね６，７を介して戸先側に出没するようにデッドボルト８，９を嵌挿してある。
【００２０】
一方、扉錠１は、図２（Ａ）に示すように、室外側にあって各ハブ４，５に対応する位置に設けたシリンダ錠１０，１１を備え、それぞれ合鍵Ｋにより回動操作されるプラグと一体的に回動する操作板１０ａ，１１ａの先端を、前記ハブ４，５の軸孔４ａ，５ａに９０度遊転可能に嵌挿してある（図１参照）。
【００２１】
他方、扉錠１は、図２（Ａ）に示すように、室内側にあって各ハブ４，５に対応する上下の位置に設けたサムピース１２，１２を備えている。ここで、図４（Ａ）および（Ｂ）に示すように、上下のサムピース１２，１２はそれぞれ、円柱状の本体部分１２ａと、この本体部分１２ａよりも細く左右両側面がほぼ平面状となっている先端部分１２ｂとを有し、各サムピース１２の先端部分１２ｂを、前記ハブ４，５の軸孔４ａ，５ａに９０度遊転可能に嵌挿してある。すなわち、ハブ４，５の軸孔４ａ，５ａには、室外側から操作板１０ａ，１１ａが挿入され、室内側からサムピース１２，１２の先端部分１２ｂ，１２ｂが挿入された状態となっている。
【００２２】
また、図２（Ａ）に示すように、上方のサムピース１２を操作するためのサムターン１３を設けてある一方で、下方のサムピース１２を操作するためのサムターンは設けておらず、代わりにダミー座１４を設けてある。ここで、前記ダミー座１４は、図５に示すように、ほぼ円板状をしており、孔１４ａ，１４ａを介して取付用ねじ１５，１５（図２（Ａ）参照）によって扉に固定される。
【００２３】
尚、下方のサムピース１２を操作するためのサムターンは設けずにダミー座１４を設けてあるのは、当該サムターンを設ける位置は足元付近となり操作しにくいことに加えて、サムターンを設ける代わりにダミー座１４を設けることにより、部品点数を削減して低コスト化および施工性の向上を図ることができるからである。しかし、前記ダミー座１４を設けず、下方のサムピース１２を操作するためのサムターンを上方と同様に設けてもよいことはいうまでもない。
【００２４】
そして、本実施形態の扉錠１は、前記サムターン１３の操作により回動する上方のサムピース１２に下方のサムピース１２を連動させる連動機構を設けてある。以下、この連動機構の構成について説明する。
【００２５】
前記連動機構は、図２（Ａ）および（Ｂ）に示すように、各サムピース１２によって回動される二つのギア１６，１６と、二つのギア１６，１６に噛み合い各ギア１６を挟んで互いにほぼ平行に延びる二つの摺動部材１７，１８とを備え、各錠２，３に対応する各錠ケース間に架設してある。
【００２６】
ここで、図６（Ａ）、（Ｂ）および（Ｃ）は、前記ギア１６の構成を概略的に示す左側面図、平面図および右側面図であり、図６（Ａ）および（Ｃ）に示すように、ギア１６は中央に貫通孔１６ａを有し、この貫通孔１６ａに前記サムピース１２の先端部分１２ｂが挿通させるのであり（図２（Ａ）参照）、貫通孔１６ａは先端部分１２ｂにほぼ合致する形状をしている。
【００２７】
また、前記摺動部材１７，１８はいずれも、図２（Ｂ）に示すように、第１ラック部材１９および第２ラック部材２０を可撓性部材より成るラックジョイント２１，２１により、後述するように傾動可能に連結して構成してあり、フレキシビリティの点で非常に優れている。
【００２８】
ここで、図７（Ａ）および（Ｂ）は前記第１ラック部材１９の構成を概略的に示す正面図および側面図、図８（Ａ）および（Ｂ）は前記第２ラック部材２０の構成を概略的に示す側面図および正面図、図９（Ａ）および（Ｂ）はばね受け２２の構成を概略的に示す側面図および正面図である。そして、図７（Ａ）および（Ｂ）並びに図８（Ａ）および（Ｂ）に示すように、第１ラック部材１９および第２ラック部材２０にはそれぞれ、図９（Ａ）および（Ｂ）に示す縦断面ほぼコの字形状のばね受け２２を取り付けるための取付穴２３〜２５を設けてあり、かつ、第１ラック部材１９に設けた取付穴２３〜２５の位置と、第２ラック部材２０に設けた取付穴２３〜２５の位置とは異ならせてある。
【００２９】
また、図１０（Ａ）および（Ｂ）は、前記ラックジョイント２１の構成を概略的に示す側面図および正面図であり、これらの図に示すように、ラックジョイント２１は、可撓性を有する薄い鋼板製長板部分２１ａと、この長板部分２１ａに段差をつけて設けた円板部分２１ｂとを有している。そして、円板部分２１ｂには、貫通孔２６を挟んで大径の皿穴２７と小径の皿穴２８とを設けてある。
【００３０】
また、前記ラックジョイント２１は二本で一対となっており、図１１（Ａ）および（Ｂ）に示すように連結される。すなわち、図１１（Ａ）および（Ｂ）は、二本のラックジョイント２１，２１の連結部分の構成を概略的に示す縦断面図および正面図、図１２は前記連結部分に用いるピン部材２９の構成を概略的に示す側面図、図１３（Ａ）および（Ｂ）は前記連結部分に用いる止め部材３０の構成を概略的に示す正面図および縦断面図である。
【００３１】
そして、図１１（Ａ）および（Ｂ）に示すように、互いに逆向きにしたラックジョイント２１，２１の貫通孔２６，２６にピン部材２９（図１２参照）を挿入し、このピン部材２９の先端に止め部材３０（図１３（Ａ）および（Ｂ）参照）をかしめ止めしてある。尚、前記ピン部材２９の先端は小径部２９ａとなっている一方、前記止め部材３０には、前記小径部２９ａが挿通する挿通孔３０ａと、スカート壁３０ｂとを設けてある。
【００３２】
ここで、二つのラックジョイント２１，２１は互いに厚み方向に離間可能であるように前記ピン部材２９に適宜の長さを持たせてあると共に、図１１に示すように、ピン部材２９および止め部材３０が保持するばね部材３１により、二つのラックジョイント２１，２１は近接する方向に常時付勢されている。さらに、前記ラックジョイント２１，２１の互いに対向する大径の皿穴２７と小径の皿穴２８とで形成される計二つの空間内のそれぞれに球状体３２を収容してある。
【００３３】
上記の構成により、二つのラックジョイント２１，２１は連結部分において図１１（Ｂ）の矢印イ，ロ方向にも傾動可能であり、傾動時には小凹入部２８から球状体３２がはみ出し、これにより二つのラックジョイント２１，２１は厚み方向に離間する。しかし、前記ばね部材３１の付勢により二つのラックジョイント２１，２１を近接させる力が常時加わっており、かかる力は球状体３２を小凹入部２８内に押し戻す力に変換されるため、屈曲した二つのラックジョイント２１，２１はやがて一列の元の状態に復帰することになる。
【００３４】
また、図１５（Ｃ），（Ｄ）に示すように、上記のように連結した一対の前記ラックジョイント２１，２１の一方には第１ラック部材１９が、他方には第２ラック部材２０がそれぞれ図１４に示す連結ピン３３により連結されるのであり、そのため、各ラックジョイント２１には連結孔２１ｃを、前記第１ラック部材１９、第２ラック部材２０には連結穴１９ａ，２０ａをそれぞれ設けてある。尚、図１４は、前記連結ピン３３の構成を概略的に示す側面図であり、この図に示すように、連結ピン３３は、前記連結穴１９ａ，２０ａを挿通する小径部３３ａと、前記連結孔２１ｃを挿通する大径部３３ｂと、頭部分３３ｃとを有しており、連結孔２１ｃと連結穴１９ａまたは２０ａとを挿通した状態でかしめられる。
【００３５】
すなわち、上記第１ラック部材１９、第２ラック部材２０および二つのラックジョイント２１により構成した各摺動部材１７，１８は計３か所で傾動可能となっており、斯かる構成と二つのラックジョイント２１自体の可撓性とによって各摺動部材１７，１８のフレキシビリティは大変優れたものとなっている。
【００３６】
図１５（Ａ）〜（Ｅ）は前記扉錠１の上部の構成を概略的に示す図であって、図１５（Ａ）は前記サムターン１３の構成を概略的に示す側面図、図１５（Ｂ）は前記連動機構の上部の構成を概略的に示す側面図、図１５（Ｃ）は図１５（Ｂ）のＹ−Ｙ線切断端面図、図１５（Ｄ）は前記扉錠１の上部の構成を概略的に示す縦断面図、図１５（Ｅ）は前記シリンダ錠１０の構成を概略的に示す側面図である。
【００３７】
図１５（Ｂ）および（Ｃ）に示すように、上方のギア（上方のサムピース１２と連動するギア）１６には、摺動部材１７の第１ラック部材１９のラックＲ１と摺動部材１８の第２ラック部材２０のラックＲ２とが噛み合う状態となっており、上方のギア１６と二つのラック部材１９，２０とは保持ケース３４によって保持してあり、この保持状態でラック部材１９，２０はスライド可能であり、かつ上方のギア１６は回転可能となっている。
【００３８】
そして、前記保持ケース３４は、二つの半割体３５（図１６（Ａ）〜（Ｃ）参照）を対向させた状態で固定することにより構成してある。すなわち、図１６（Ａ）、（Ｂ）および（Ｃ）は、前記半割体３５の構成を概略的に示す側面図、正面図および平面図である。
【００３９】
前記半割体３５は、図１６（Ａ）〜（Ｃ）に示すように、横断面視ほぼコの字形状の本体３６に、二つのサムターン取付用ねじ３７（図１５（Ａ）参照）に係止して位置決めされる二つの係止部３８と、サムピース１２が挿通する貫通孔３９と、前記第１ラック部材１９および第２ラック部材２０を初期位置に復帰させる方向に付勢する付勢手段としてのばね４０（図１５（Ｂ），（Ｃ）参照）を収容する二つの切り欠き部４１，４１とを設けたものである。尚、図１６（Ａ）〜（Ｃ）において、４２は切り欠き穴、４３は突片である。
【００４０】
そして、二つの前記半割体３５，３５は、図１７に示すステイ柱４４を介して固定される（図１５（Ｄ）参照）。すなわち、図１７は前記ステイ柱４４の構成を概略的に示す正面図であり、この図に示すように、ステイ柱４４は大径部４４ａの両端に小径部４４ｂ，４４ｂを有している。これに対して、半割体３５には、前記ステイ柱４４の小径部４４ｂにより挿通される二つの穴４５を設けてある。そして、二つの半割体３５，３５の固定は、穴４５を挿通したステイ柱４４の小径部４４ｂをかしめることによって行うことができる。
【００４１】
前記二つのラック１９，２０、ギア１６、ばね４０を収容した状態の上記二つの半割体３５，３５を備えた扉錠１の上部の作動について説明すると、サムターン１３の操作によりサムピース１２が回転した場合、サムピース１２に挿通されるギア１６も同時に回転し、図１５（Ｂ）に示す初期位置にある第１ラック部材１９と第２ラック部材２０とが互いに逆方向にスライドする。このとき、各ラック１９，２０に設けたばね受け２２はそれぞれ、図１５（Ｂ）〜（Ｄ）に示すように半割体３５，３５の切り欠き部４１，４１に収容したばね４０に当接し、ばね４０から初期位置に復帰させる方向に付勢力を受けることになる。すなわち、各ばね受け２２はばね４０の上下いずれの側からも当接可能であり、ラック１９，２０がスライドしたときにばね受け２２はばね４０から前記初期位置に復帰させる方向に付勢力を受けるように構成してある。
【００４２】
図１８（Ａ）〜（Ｄ）は前記扉錠１の下部の構成を概略的に示す図であって、図１８（Ａ）は前記ダミー座１４の構成を概略的に示す側面図、図１８（Ｂ）は前記連動機構の下部の構成を概略的に示す側面図、図１８（Ｃ）は前記扉錠１の下部の構成を概略的に示す縦断面図、図１８（Ｄ）は前記シリンダ錠１１の構成を概略的に示す側面図である。
【００４３】
図１８（Ｂ）および（Ｃ）に示すように、下方のギア（下方のサムピース１２と連動するギア）１６には、摺動部材１７の第２ラック部材２０と摺動部材１８の第１ラック部材１９とが噛み合う状態となっており、下方のギア１６と二つのラック１９，２０とは保持ケース３４によって保持してあり、この保持状態でラック１９，２０はスライド可能であり、かつ下方のギア１６は回転可能となっている。
【００４４】
すなわち、扉錠１の下部の構成と扉錠１の上部の構成とは、上部のサムターン１３に対応するものとして下部にダミー座１４を設けてある点を除けば対称であり、前記保持ケース３４の係止部３８，３８は二つのダミー座取付用ねじ１５，１５（図１８（Ａ），（Ｃ）参照）により位置決めされる。そして、扉錠１の下部の他の構成の説明は、扉錠１の上部の説明の繰り返しになるため省略する。
【００４５】
図１９（Ａ）、（Ｂ）および（Ｃ）は、前記錠２の解錠状態の構成を概略的に示す正面図、平面図および側面図、図１９（Ｄ）は解錠状態の前記錠２の要部の構成を概略的に示す背面図、図２０（Ａ）、（Ｂ）および（Ｃ）は、前記錠２の施錠状態の構成を概略的に示す正面図、平面図および側面図、図２０（Ｄ）は施錠状態の前記錠２の要部の構成を概略的に示す背面図である。尚、錠３の構成は錠２の構成と同一であるため、図示を省略する。
【００４６】
上記のように構成した扉錠１では、シリンダ錠１０によりハブ４を回動させると当該ハブ４に対応する一のデッドボルト８のみが出没作動して施解錠し、同様に、シリンダ錠１１によりハブ５を回動させると当該ハブ５に対応する一のデッドボルト９のみが出没作動して施解錠する一方、サムターン１３によりサムピース１２を介してハブ４を回動させると全てのデッドボルト８，９が出没作動して施解錠する。
【００４７】
すなわち、図１に示す解錠状態では、図１９（Ｃ）に示すように、ハブ４の軸孔４ａに操作板１０ａとサムピース１２とが挿入され、かつ、ハブ５の軸孔５ａに操作板１１ａとサムピース１２とが挿入された状態となっている。
【００４８】
そして、合鍵Ｋをシリンダ錠１０に差し込んで操作し、操作板１０ａを図１９（Ｃ）において矢印ハ方向に９０度回転させると、図１に示すハブ４も回動し、図２０（Ａ）〜（Ｃ）に示すように、デッドボルト８が戸先側に突出した施錠状態となる。このとき、軸孔４ａに対して９０度遊転可能となっているサムピース１２は動かない。従って、シリンダ錠１０によりハブ４を回動させると、サムターン１３に関係なくデッドボルト８が突出作動して施錠する。尚、合鍵Ｋをシリンダ錠１０から抜くには、図２０（Ｃ）において操作板１０ａを矢印ニ方向に９０度回転させ、図２０（Ｃ）に２点鎖線で示す状態にする必要がある。
【００４９】
逆に、図２０（Ａ）〜（Ｃ）に示す施錠状態において、合鍵Ｋをシリンダ錠１０に差し込んで操作し、図２０（Ｃ）において二点鎖線で示す状態にある操作板１０ａを矢印ニ方向に９０度回転させると、図１に示すハブ４も回動し、図１９（Ａ）〜（Ｃ）に示すように、デッドボルト８が戸先側から後退（没入）した解錠状態となる。このときも、軸孔４ａに対して９０度遊転可能となっているサムピース１２は動かず、シリンダ錠１０によりハブ４を回動させると、サムターン１３に関係なくデッドボルト８が後退（没入）作動して解錠することになる。
【００５０】
また、シリンダ錠１１によりハブ５を回動させると当該ハブ５に対応する一のデッドボルト９のみが出没作動して施解錠するのであり、施解錠の過程はシリンダ錠１０によるデッドボルト８の施解錠の過程と同様であるので、その説明は省略する。
【００５１】
これに対して、図１，図２に示す解錠状態にある扉錠１において、サムターン１３により上方のサムピース１２を介してハブ４を図１９（Ｃ）において矢印ハ方向に９０度回動させると、図２０（Ａ）〜（Ｃ）に示すように、デッドボルト８が戸先側に突出した施錠状態となる。このとき、前記上方のサムピース１２の回動は、上方のギア１６、摺動部材１７，１８、下方のギア１６を介して下方のサムピース１２に伝達され、下方のサムピース１２が連動することになる。すなわち、下方のサムピース１２を介してハブ５もハブ４と同様に回動し、デッドボルト９が戸先側に突出した施錠状態となる。
【００５２】
逆に、図２０（Ａ）〜（Ｃ）に示す施錠状態において、サムターン１３を操作し、図２０（Ｃ）において二点鎖線で示す状態にある上方のサムピース１２を矢印ニ方向に９０度回転させると、図１に示すハブ４も回動し、図１９（Ａ）〜（Ｃ）に示すように、デッドボルト８が戸先側から後退した解錠状態となる。そして、このときも、下方のサムピース１２が連動して、デッドボルト９は戸先側から後退した解錠状態となる。
【００５３】
すなわち、上記扉錠１では、サムターン１３により上方のサムピース１２を介してハブ４を回動させると、前記連動機構により下方のサムピース１２が連動するので、デッドボルト８，９が同時に出没作動して施解錠することになる。
【００５４】
ここで、前記扉錠１では、デッドボルト８，９を出没作動して施解錠するためのサムターン１３およびシリンダ錠１０，１１を、前記連動機構と共に扉Ｄに容易に取り付けることができる。すなわち、図２１は、前記扉錠１を扉Ｄに設けるための方法を概略的に示す説明図であり、この図に示すように、前記扉Ｄには、錠２，３が設けられており、また、扉の内外には、サムターン取付用穴５１とシリンダ錠取付用穴５２とが上下に開設されている。
【００５５】
そして、前記穴５１，５２を利用してサムターン１３およびシリンダ錠１０，１１を扉Ｄに装着すると共に、錠２，３の上下のサムピース１２，１２に対して前記連動機構を組み付け、上下のサムピース１２，１２を連動させる構成とすることにより、本実施形態の扉錠１となすことができる。そのために、前記連動機構を扉Ｄ内に収容して設置する必要があるが、上述のように連動機構を成す前記摺動部材１７，１８を可撓性部材にて構成し、かつ、複数箇所にて傾動可能として十分なフレキシビリティを付与してあるので、前記収容作業は図２１に示すように前記サムターン取付用穴５１から連動機構を挿入することにより容易に行うことができる。尚、前記連動機構を扉Ｄ内に収容した後は、連動機構の上下のギア１６，１６に上下のサムピース１２，１２を挿通させた状態とし、他は通常の組付け作業を行うことにより、本実施形態の扉錠１の設置が完了する。
【００５６】
また、上記のように本実施形態の扉錠１を設置する場合、上下二つのサムターン取付用穴５１，５１に対してそれぞれサムターン１３を設けてもよいし、下方のサムターン取付用穴５１には前記ダミー座１４を設けてもよい。その他、錠を一箇所にしか取り付けていない既設の扉に対して、もう一つの錠を取り付けて連動させることも可能である。
【００５７】
尚、本発明に係る扉錠は、上記実施の形態に限らず、種々に変形して実施することができる。そこで、以下にその変形例について説明する。
【００５８】
まず、上記実施形態では、一方の錠２は人の腰あたりの高さ位置にあり、他方の錠３は足元付近の低い位置にあるが、錠２，３の位置はこれに限らず、例えば、錠３を扉Ｄの上部に設けてあってもよい。このように錠３を高い位置に設けても防犯効果が得られる。
【００５９】
また、上記実施形態では、デッドボルト、ハブ、シリンダ錠、サムピース、ギアをそれぞれ二つずつ設けているが、それぞれ三つ以上設けてあっても本発明の扉錠を適用することができる。
【００６０】
また、上記実施形態では、各摺動部材１７，１８を、第１ラック部材１９、第２ラック部材２０および二つのラックジョイント２１により構成し、計３か所で傾動可能としているが、前記ラックジョイント２１を一つとして、各摺動部材１７，１８が計２か所で傾動可能としてもよいし、ラックジョイント２１を三つ以上として、各摺動部材１７，１８が計４か所以上で傾動可能としてもよい。
【００６１】
さらに、各摺動部材１７，１８を傾動可能とするために、ラックジョイント２１を設ける構成に代えて、あるいはかかる構成に加えて、第１ラック部材１９と第２ラック部材２０との間に傾動自在な板状部材や弾性部材を設ける構成を採用してもよい。
【００６２】
また、上記実施形態では、ラックジョイント２１に大径の皿穴２７と小径の皿穴２８とを設けているが、同じ大きさの皿穴（又は凹入部）を設けてもよく、球状体３２を収容するための皿穴（凹入部）を三つ以上設けてあってもよい。
【図面の簡単な説明】
【００６３】
【図１】本発明の一実施の形態に係る扉錠の錠の解錠状態の構成をケース側板の一部を透視して概略的に示す側面図である。
【図２】（Ａ）は前記扉錠の構成を概略的に示す縦断面図、（Ｂ）は（Ａ）のＸ−Ｘ線切断端面図である。
【図３】（Ａ）、（Ｂ）および（Ｃ）は、前記錠の構成を概略的に示す正面図、平面図および側面図である。
【図４】（Ａ）および（Ｂ）は前記扉錠のサムピースの構成を概略的に示す正面図および側面図である。
【図５】前記扉錠のダミー座の構成を概略的に示す側面図である。
【図６】（Ａ）、（Ｂ）および（Ｃ）は、ギアの構成を概略的に示す左側面図、平面図および右側面図である。
【図７】（Ａ）および（Ｂ）は第１ラック部材の構成を概略的に示す正面図および側面図である。
【図８】（Ａ）および（Ｂ）は第２ラック部材の構成を概略的に示す側面図および正面図である。
【図９】（Ａ）および（Ｂ）はばね受けの構成を概略的に示す側面図および正面図である。
【図１０】（Ａ）および（Ｂ）は、ラックジョイントの構成を概略的に示す側面図および正面図である。
【図１１】（Ａ）および（Ｂ）は、二本のラックジョイントの連結部分の構成を概略的に示す縦断面図および正面図である。
【図１２】前記連結部分に用いるピン部材の構成を概略的に示す側面図である。
【図１３】（Ａ）および（Ｂ）は前記連結部分に用いる止め部材の構成を概略的に示す正面図および縦断面図である。
【図１４】連結ピンの構成を概略的に示す側面図である。
【図１５】（Ａ）〜（Ｅ）は前記扉錠の上部の構成を概略的に示す図であって、（Ａ）はサムターンの構成を概略的に示す側面図、（Ｂ）は連動機構の上部の構成を概略的に示す側面図、（Ｃ）は（Ｂ）のＹ−Ｙ線切断端面図、（Ｄ）は前記扉錠の上部の構成を概略的に示す縦断面図、（Ｅ）は上方のシリンダ錠の構成を概略的に示す側面図である。
【図１６】（Ａ）、（Ｂ）および（Ｃ）は、前記半割体３５の構成を概略的に示す側面図、正面図および平面図である。
【図１７】ステイ柱の構成を概略的に示す正面図である。
【図１８】（Ａ）〜（Ｄ）は前記扉錠の下部の構成を概略的に示す図であって、（Ａ）はダミー座の構成を概略的に示す側面図、（Ｂ）は前記連動機構の下部の構成を概略的に示す側面図、（Ｃ）は前記扉錠の下部の構成を概略的に示す縦断面図、（Ｄ）は下方のシリンダ錠の構成を概略的に示す側面図である。
【図１９】（Ａ）、（Ｂ）および（Ｃ）は、上方の錠の解錠状態の構成を概略的に示す正面図、平面図および側面図、（Ｄ）は解錠状態の上方の錠の要部の構成を概略的に示す背面図である。
【図２０】（Ａ）、（Ｂ）および（Ｃ）は、上方の錠の施錠状態の構成を概略的に示す正面図、平面図および側面図、（Ｄ）は施錠状態の上方の錠の要部の構成を概略的に示す背面図である。
【図２１】前記扉錠を扉に設けるための方法を概略的に示す説明図である。
【符号の説明】
【００６４】
１    扉
２    錠
３    錠
４    ハブ
５    ハブ
８    デッドボルト
９    デッドボルト
１０    シリンダ錠
１１    シリンダ錠
１２    サムピース
１３    サムターン
１４    ダミー座
１６    ギア
１７    摺動部材
１８    摺動部材
【図１】
2008255622.tif 000003
【図２】
2008255622.tif 000004
【図３】
2008255622.tif 000005
【図４】
2008255622.tif 000006
【図５】
2008255622.tif 000007
【図６】
2008255622.tif 000008
【図７】
2008255622.tif 000009
【図８】
2008255622.tif 000010
【図９】
2008255622.tif 000011
【図１０】
2008255622.tif 000012
【図１１】
2008255622.tif 000013
【図１２】
2008255622.tif 000014
【図１３】
2008255622.tif 000015
【図１４】
2008255622.tif 000016
【図１５】
2008255622.tif 000017
【図１６】
2008255622.tif 000018
【図１７】
2008255622.tif 000019
【図１８】
2008255622.tif 000020
【図１９】
2008255622.tif 000021
【図２０】
2008255622.tif 000022
【図２１】
2008255622.tif 000023